(57)【特許請求の範囲】
【請求項１】
ガスタービンエンジンのための圧送オイルドレインであって、
シャフト軸受（３７）用のオイルサンプ（４８）と、
前記オイルサンプと流れ連通し、故障状態において使用する通路（６０）と、
前記通路と大気状態（６５）との間の圧力差と、
前記通路の下側位置付近に配置されたドレイン部（６２）と、
前記ドレイン部に隣接し、エンジン中心線の極端な姿勢角に等しいかそれよりも大きい予め選択された角度で配置される壁（６６）と、
前記ドレイン部の上流側に特徴部（６４）と、
を備え、前記特徴部が、前記通路内に延びて前記オイルプールの生成を助け、前記ドレイン部の位置と前記壁によって、前記極端な姿勢角において前記ドレイン部を覆うようなオイルプールの形成が可能となる、圧送オイルドレイン。
【請求項２】
前記特徴部が空気シール又はオイルシールである、請求項１に記載の圧送オイルドレイン。
【請求項３】
前記特徴部が、故障又はオーバーフロー状態の間のオイルの逆流を阻止する、請求項１または２に記載の圧送オイルドレイン。
【請求項４】
前記特徴部が、前記極端な姿勢角において前記ドレイン部よりも垂直方向でより高く配置されている、請求項１乃至３のいずれかに記載の圧送オイルドレイン。
【請求項５】
前記ドレイン部が、前記極端な姿勢角において前記特徴部よりも垂直方向でより低く配置されている、請求項１乃至３のいずれかに記載の圧送オイルドレイン。
【請求項６】
ガスタービンエンジンのための圧送オイルドレインであって、
シャフト軸受（３７）用のオイルサンプ（４８）と、
前記オイルサンプと流れ連通し、故障状態において使用する通路（６０）と、
前記通路と大気状態（６５）との間の圧力差と、
前記通路の下側位置付近に配置されたドレイン部（６２）と、
前記ドレイン部に隣接し、エンジン中心線の極端な姿勢角に等しいかそれよりも大きい予め選択された角度で配置される壁（６６）と、
を備え、前記ドレイン部の位置と前記壁によって、前記極端な姿勢角において前記ドレイン部を覆うようなオイルプールの形成が可能となり、
前記オイルプールは、前記圧力差によりオイルを高さ方向で押し上げることを可能にする、圧送オイルドレイン。
【請求項７】
ガスタービンエンジンのための圧送オイルドレインであって、
シャフト軸受（３７）用のオイルサンプ（４８）と、
前記オイルサンプと流れ連通し、故障状態において使用する通路（６０）と、
前記通路と大気状態（６５）との間の圧力差と、
前記通路の下側位置付近に配置されたドレイン部（６２）と、
前記ドレイン部に隣接し、エンジン中心線の極端な姿勢角に等しいかそれよりも大きい予め選択された角度で配置される壁（６６）と、
実質的に一定の断面積の下流側通路と、
を備え、前記ドレイン部の位置と前記壁によって、前記極端な姿勢角において前記ドレイン部を覆うようなオイルプールの形成が可能となり、
前記オイルプールは、前記極端な姿勢角にあるときに前記圧力差によりオイルを前記ドレイン部から前記下流側通路を通って上方に移動させるようにする、
圧送オイルドレイン。
【請求項８】
前記下流側通路と流れ連通した取付具を更に備える、請求項７に記載の圧送オイルドレイン。
【請求項９】
前記オイルプールが前記ドレイン部を浸漬する、請求項７または８に記載の圧送オイルドレイン。
【請求項１０】
前記極端な姿勢角が少なくとも３０°（度）である、請求項１乃至９のいずれかに記載の圧送オイルドレイン。
【請求項１１】
前記通路が前記サンプからのオーバーフローオイルを受け取る、請求項１乃至１０のいずれかに記載の圧送オイルドレイン。
【請求項１２】
ガスタービンエンジン（１０）のための圧送オイルドレインであって、
オイルサンプ（４８）及び該オイルサンプと選択的に流れ連通した通路（６０、６３）と、
前記サンプの一方の端部に位置付けられるオイルシールと、
を備え、前記通路がドレイン部（６２）と流れ連通し、前記通路が加圧されて前記通路と環境大気（６５）との間に圧力差を生成し、前記ドレイン部が、前記タービンエンジンが極端な姿勢角にて配置されたときに通路特徴部（６４）の下方の高さに配置され、前記通路（６３）が、前記極端な姿勢角にあるときに上方に延びる、圧送オイルドレイン。
【請求項１３】
上方に延びる前記通路が、前記ドレイン部の下流側にある、請求項１２に記載の圧送オイルドレイン。
【請求項１４】
前記通路特徴部が前記ドレイン部の半径方向内向きに配置される、請求項１２または１３に記載の圧送オイルドレイン。
【請求項１５】
前記通路特徴部がシールである、請求項１２乃至１４のいずれかに記載の圧送オイルドレイン。
【請求項１６】
ガスタービンエンジン（１０）のための圧送オイルドレインであって、
オイルサンプ（４８）と、
前記オイルサンプにオイルを保持する少なくとも１つのシール（５０）と、
前記オイルサンプとオーバーフローで流れ連通し、加圧状態にあるドレイン通路（６０）と、
前記ドレイン通路の下側位置に配置されたドレイン部（６２）と、
前記ドレイン部に隣接した通路壁及びシール故障時に前記オイルのプールを生成する特徴部（６４）と、
を備え、極端な姿勢位置における前記ドレイン部、前記通路、及び前記特徴部の幾何形状によって、前記圧力が前記オイルを前記ドレイン部から該ドレイン部の下流側の通路部分を通じて上方に移動させるようにする、圧送オイルドレイン。
【発明の詳細な説明】
【技術分野】
【０００１】
開示される実施形態は、全体的に、ガスタービンエンジンに関する。より詳細には、本発明の実施形態は、限定ではないが、ガスタービンエンジンサンプのためのドレインに関する。
【背景技術】
【０００２】
ガスタービンエンジンにおいて、典型的なガスタービンエンジンは、一般に、前方端部と後方端部とを有し、これらの間に複数のコア又は推進構成要素が軸方向に続いている。空気入口又は吸気口は、エンジンの前方端部にある。後方端部に向かって移動すると、順番に、吸気口の後に、圧縮機、燃焼室、タービン、及びエンジンの後方端部にてノズルが続く。例えば、低圧及び高圧圧縮機並びに高圧及び低圧タービンなど、追加の構成要素をエンジンに含めることができることは当業者であれば容易に理解されるであろう。しかしながら、これは網羅的な記載ではない。エンジンはまた、典型的には、エンジンの中心長手方向軸線を通って軸方向に配置された内部シャフトを有する。内部シャフトは、タービン及び空気圧縮機の両方に接続され、タービンが空気圧縮機に回転入力を提供して圧縮機ブレードを駆動するようにする。
【０００３】
作動時には、空気は、圧縮機において加圧され、燃焼器内で燃料と混合されて高温燃焼ガスを発生し、該燃焼ガスは、タービン段を通って下流側に流れる。これらのタービン段は、燃焼ガスからエネルギーを取り出す。最初に、高圧タービンが燃焼器から高温燃焼ガスを受け取り、該高圧タービンは、支持ロータディスクから半径方向外向きに延びる高圧タービンロータブレードの列を通って燃焼ガスを下流側に配向するステータノズル組立体を含む。２段タービンにおいて、第２段タービンステータノズル組立体は、第１段ブレードの下流側に位置付けられ、その後に第２の支持ロータディスクから半径方向外向きに延びる第２段ロータブレードの列が続く。タービンは、燃焼ガスエネルギーを機械エネルギーに変換する。
【０００４】
公知のタービンエンジンにおいて、ロータシャフトは通常、後方軸受組立体を利用することにより回転が支持される。これらの軸受組立体は、別個のオイルサンプシステムを使用することにより潤滑及び冷却される。
【０００５】
航空機産業にて利用されるガスタービンエンジンは、重量を軽減することが常に望ましい。このような重量軽減により、エンジンが高効率となり、事業社のコスト節減がより効率的になる。また、タービンエンジンの部品点数を削減することが望ましく、これにより製造容易性が向上し、上述の効率上の側面が改善される。特定のエンジン設計では、フレーム部材又はストラット特徴要素を取り除くことによりエンジン重量を低減している。しかしながら、しかしながら、重量低減の目標を達成する一方で、エンジンを通るオイル配送に影響を及ぼす変化もある。
【０００６】
より具体的には、極端な姿勢角又は位置（例えば、上昇状態）は、他の場合では重力ドレインによるオイルの流れに影響を及ぼす可能性がある。オイル配管のより長い軸方向に延びる経路が問題となる可能性がある。軸受サンプシールの故障状態では、ドレインは、軸受サンプからオイルが移動され及び除去される。故障が発生して飛行機が極端な姿勢位置にある場合には、ドレイン経路の一部では、経路、管体又は取付具を通じて垂直方向にオイルを移動させることが必要となる場合がある。標高に起因してオイルが上方に移動できないときには、オイルが高温領域にオーバーフローし、タービンエンジンの構成要素の発火又はコーキングを生じる恐れがある。
【０００７】
上記のことから分かるように、ガスタービンエンジンに伴うこれら及び他の欠点を克服することが望ましいことになる。
【先行技術文献】
【特許文献】
【０００８】
【特許文献１】日本国特許公開Ｈ１０−７７８５７号公報
【発明の概要】
【０００９】
少なくとも一部の実施形態によれば、加圧空気を利用してオイルを通路に移動させるようにするオイルサンプドレインが提供される。
【００１０】
少なくとも一部の実施形態によれば、加圧空気は、航空機エンジンが上昇姿勢状態にあるときにオイルの上向きの高度変化を引き起こす。
【００１１】
更に別の実施形態によれば、特徴部が通路において利用されてドレインにてオイルプールを生成し、加圧空気よりオイルをドレインに通して、上向きの高度変化を引き起こすことができるようになる。
【００１２】
上記で概説した特徴の全ては、単に例証として理解すべきであり、本発明のより多くの特徴及び対象物が、本明細書の開示から得ることができる。従って、この発明の概要の非限定的な解釈は、本明細書、請求項、これらと共に含まれる図面全体をより詳細に読むことなく理解されるはずである。
【００１３】
以下の図において本発明の実施形態が示されている。
【図面の簡単な説明】
【００１４】
【図１】ガスタービンエンジンの側断面図。
【図２】低圧タービン（ＬＰＴ）の側断面図。
【図３】低圧タービンサンプハウジング組立体の斜視図。
【図４】低圧タービンサンプハウジング組立体の底面図。
【図５】低圧タービンサンプハウジング組立体のオイル排出部の側断面図。
【図６】低圧タービンサンプハウジング組立体のドレインの側断面図。
【図７】上昇姿勢状態にある低圧タービンサンプハウジングドレインの側面図。
【図８】低圧タービンサンプドレインの代替の実施形態の側面図。
【図９】図８の低圧タービンサンプドレインの後方から前方を見た図。
【発明を実施するための形態】
【００１５】
次に、その１つ又はそれ以上の実施例を図面に示している提供される実施形態について詳細に説明する。各実施例は、例証として提供され、開示される実施形態の限定ではない。実際に、本開示の範囲又は技術的思想から逸脱することなく、種々の修正形態及び変形形態を本実施形態において実施できることは、当業者であれば理解されるであろう。例えば、１つの実施形態の一部として例示され又は説明される特徴は、別の実施形態と共に使用して更に別の実施形態を得ることができる。従って、本発明は、このような修正形態及び変形形態を添付の請求項及びその均等物の範囲内にあるものとして保護することが意図される。
【００１６】
図１〜９を参照すると、ガスタービンエンジンのための圧送オイルドレインの種々の実施形態が図示され記載されている。オイルのためのドレイン及び経路は、オイルの貯留を生成してドレインを完全に浸漬するように形成される。この完全な浸漬に起因して、経路内の加圧空気によって、オイルがドレインを通り、次いで高さ方向で上向きにドレインの下流側にある経路、配管、管路、又は同様のものを通って大気に流れるようになる。
【００１７】
本明細書で使用される用語「軸方向」又は「軸方向に」とは、エンジンの長手方向軸線に沿った寸法を意味する。「軸方向」又は「軸方向に」と併せて使用される用語「前方」とは、エンジン入口に向かう方向に移動していること、又はある構成要素が別の構成要素と比較してエンジン入口により近接していることを意味する。「軸方向」又は「軸方向に」と併せて使用される用語「後方」とは、エンジンの排気ノズルに向かう方向に移動していること、又はある構成要素が別の構成要素と比較してエンジンの排気ノズルにより近接していることを意味する。
【００１８】
本明細書で使用される用語「半径方向」又は「半径方向に」とは、エンジンの長手方向軸線とエンジン外周との間に延びる寸法を意味する。単独で又は用語「半径方向」又は「半径方向に」と併せて使用される用語「近位方向」又は「近位方向に」とは、中心長手方向軸線に向かう方向に移動していること、又はある構成要素が別の構成要素と比較して中心長手方向軸線により近接していることを意味する。単独で又は用語「半径方向」又は「半径方向に」と併せて使用される用語「遠位方向」又は「遠位方向に」とは、エンジン外周に向かう方向に移動していること、又はある構成要素が別の構成要素と比較してエンジン外周により近接していることを意味する。
【００１９】
本明細書で使用される用語「横方向」又は「横方向に」とは、軸方向寸法と半径方向寸法の両方に垂直な寸法を意味する。
【００２０】
最初に図１を参照すると、エンジン入口端部１２を有するガスタービンエンジン１０の概略側断面図が示され、ここで、圧縮機１４、燃焼器１６、及び多段高圧タービン２０によって全体的に定められるプロパルサー１３に空気が流入する。全体として、プロパルサー１３は、運転中に推力又は出力を提供する。ガスタービン１０は、航空機、発電、産業、船舶、又は同様のものに用いることができる。
【００２１】
作動時には、空気がエンジン１０の空気入口１２を通って流入し、少なくとも１つの圧縮段を移動して、ここで空気圧が増大して燃焼器１６に送られる。加圧空気が燃料と混合され燃焼して高温の燃焼ガスをもたらし、該燃焼ガスが、燃焼器１６から高圧タービン２０に向けて流出する。高圧タービン２０において、高温燃焼ガスからエネルギーが取り出されてタービンブレードの回転を生じさせ、その結果、シャフト２４の回転が生じる。シャフト２４は、エンジンの前方に向けて通過し、タービン設計に応じて、１又はそれ以上の圧縮機段１４、ターボファン１８又は入口ファンブレードの回転を継続させる。ターボファン１８は、シャフト２８を介して低圧タービン２１に接続され、タービンエンジン１０に対する推力を生成する。低圧タービン２１はまた、更なるエネルギー抽出及び追加の圧縮機段への動力供給に利用することができる。低圧空気を用いて、エンジンの構成要素の冷却を支援することもできる。
【００２２】
ガスタービン１０は、エンジン軸線２６又はシャフト２４の周りに軸対称であり、種々のエンジン構成要素がその周りを回転するようになる。軸対称シャフト２４は、タービンエンジン前端を通って後端に延び、シャフト構造の長さに沿って軸受によりジャーナル接続されて、エンジン１０の中心線２６の周りを回転する。シャフト２４は、シャフト２４の回転とは独立した内部にある低圧タービンシャフト２８の回転を可能にするよう中空とすることができる。シャフト２８はまた、エンジンの中心軸線２６の周りを回転することができる。作動中、シャフトは、タービンのロータ組立体のような、シャフトに接続された他の構造体と共に回転し、発電及び産業又は航空機の使用分野において使用される種々のタイプのタービンに対する出力又は推力を生成する。シャフト２４は、これらの軸受によって支持され、該軸受は、高速回転中に部品を冷却するためにオイルサンプ中で作動する。
【００２３】
ここで図２を参照すると、高圧タービン２０と低圧タービン２１との間の接合部付近のエンジンタービンの側断面図が示されている。低圧タービン２１の前端に隣接して、タービン中心フレーム又はタービン中間フレーム４０がある。サンプハウジング組立体４２は、タービン中心フレーム４０の後方に配置される。サンプ組立体４２は、中心フレーム４０から図で見て後方向の斜め上方に延びる。
【００２４】
軸受３７と対応する軸受サンプ３９とを有する高圧タービン２０が示されている。軸受３７は、高圧シャフト２４（図１）の回転と、軸受３７の冷却をそれぞれ提供する。
【００２５】
低圧タービン２１は、翼形部３４がその上で回転する複数のディスク３２を含む。翼形部間には固定ステータ３６がある。ディスク３２及び翼形部３４は、低圧シャフト４６と共に回転する。翼形部３４は、固定ステータ３６が燃焼ガスを転回している間に燃焼ガスからエネルギーを抽出し、各後続の翼形部３４においてエネルギーの抽出が最大となる。
【００２６】
低圧タービン２１用の軸受４４が、サンプ組立体４２の上端付近で低圧タービンディスク３２の上に図示される。軸受は、エンジン１０の運転中に低圧シャフト４６の回転を可能にする。軸受４４は、冷却潤滑を軸受４４に提供するようオイルサンプ４８内で作動する。
【００２７】
上述のように、例示的なタービンエンジンのタービン後方フレーム又はストラットが排除されることで、サンプ４８円錐体が前方に延びて、タービン中心フレーム４０に対する支持接続部が形成されることになる。結果として、オイル通路として前方に向けられた通路は、オイルを出口フレームストラット４０に前方に移動させるようより長くなっている。更に説明するように、エンジンが極端な上昇姿勢位置にあるときに水平方向経路がより長くなっており、これは本明細書で記載される実施形態の構築の１つの理由である。
【００２８】
オイルサンプ４８は、回転シール５２及び固定シール５４を有するオイルシール組立体５０を含む。シール５０の故障又はサンプ４８のオーバーフロー状態の間、一部のオイルは、目的とする機能と相反して、オイルシール組立体５０を通過して、通路６０内に移動する可能性がある。通路６０は、その下端部付近にドレイン６２を有し、図示されている。通路６０及びドレイン６２は、エンジンから出てフレームストラット４０を通って大気にまで延びた配管又は他の通路と流れ連通している。通路６０、ドレイン６２、及び下流側通路６３は、取付具７０と流れ連通している。
【００２９】
また、特徴部６４が、オイルシール組立体５０の下流側の通路６０に配置される。本発明の例示の実施形態における特徴部６４は、回転シール及び固定シールとの空気シールである。しかしながら、他の特徴部を異なる機能を有して利用してもよい。本発明の実施形態の特徴部６４は、軸受オイルサンプ４８付近を通る冷却空気の漏洩物が、タービンを通って移動する高温の空気と混合するのを阻止する。シール６４はまた、オイルがエンジンのタービン側部を通過して発火するのを阻止する。特徴部６４はまた、通路６０内の故障又はオーバーフロー状態の間にオイルの逆流を阻止し、オイルがドレイン６２において貯留されるようにする。更に説明するように、オイルがドレイン６２において貯留されるときには、航空機が極端な上昇状態にあるときに、圧力差を利用してオイルをドレイン通路６３に通して上方に移動させるようにすることができる。
【００３０】
ここで図３を参照すると、サンプ組立体４２が斜視図で示されている。組立体４２は、第１の又は前方端部４５と、第２の又は後方端部４７とを含む。多段タービンのようなコア構成要素が、組立体４２の中空内部及びそこに配置されるサンプ４８を通過する。組立体４２の内部には、取付具７０との流れ連通を提供するドレインアパーチャ６２が示されている。取付具７２は、オイルをサンプ４８に循環させる排出システムと流れ連通している。取付具７０は、上述のドレイン６２と流れ連通しており、オーバーフロー又は故障状態の間、オイルサンプシール５０が漏洩している状況で利用される。取付具７０により、ドレイン６２が作動状態の間に図２に示すようにオイルを大気６５に排出することが可能となる。
【００３１】
図４を参照すると、サンプ組立体４２の底面図が示される。通路６０は、取付具７０につながっている下流側ドレイン通路６３と共に描かれている。この図は、ドレイン６２の下流側の通路又は経路の水平方向長さを描いている。水平姿勢又は下降姿勢では、オイルは、オイルシール組立体５０（図２）にて故障又はオーバーフロー状態で重力送給により通路６０を通って流れることになる。しかしながら、上昇状態では、オイルシール組立体５０を通過するオイルは、重力送給により排出することができない。このことは、大気に排出する前に上昇状態で通路６３が上向きの垂直方向距離を延びていることに起因する。この向きでは重力送給は不可能である。
【００３２】
ここで図５を参照すると、後方軸受サンプ４８とサンプ組立体４２の関連する部分の詳細な断面図が示されている。軸受４４は、サンプ４８内に示され、回転シール５２並びに低圧シャフト４６及び低圧ディスク（図２）などの関連の構成要素及び接続される翼形部３６の回転を可能にする。オイルシール組立体５０は、サンプ４８内に配置されるオイルを貯留し、通常の運転状態でオイルが通路６０内に移動するのを阻止する。しかしながら、運転中、サンプシール５０の故障経路のうちの１つは、回転シール部分５２と固定シール部分５４との間にある。従って、故障状態において、オイルシール５０は、オイルを通路６０内に逃がすのを可能にすることができる。ドレイン６２は、通路６０の下側部分に配置される。通路６３は、図３及び４に示すように軸方向前方に転回して、組立体４２の前方端部に向かって取付具７０に延びている。図５の断面図において、サンプのドレインはまた、排出管路７２（図３）として図示され、これは、オイルサンプ４８からオイルを循環させる一次手段である
ここで図６を参照すると、再度、取付具７２及び関連の排出構成要素が取り除かれるように通路６０を通る断面図で組立体４２が示される。通路は、壁６６により形成されて、角度θで延びる。本発明の実施形態の設計によれば、壁の角度は少なくとも約３０°であり、例えば、約４０°とすることができる。この角度は、エンジン１０の試験を行う極端な姿勢位置によって定められる。極端な姿勢位置は、エンジン軸線２６の軸方向中心線の上昇角度である。この上昇の極端な姿勢角又は位置では、壁６６は水平方向の傾斜面以上である。加えて、この位置では、ドレイン６２は、依然として特徴部６４の真下に垂直方向に配置される。通路６３はまた、一定の断面積とすることができる。故障状態では、オイルは、オイルシール５０を越えて漏洩することになる。故障状態は、排出システムの故障によりシール組立体５おのオーバーフローが生じるか又はシール５０が故障し、ドレイン通路６０内へのオイルの通過が可能となったときに生じる可能性がある。次いで、オイルは、特徴部６４（例えば、図示の空気シール）を越えてドレイン６２に移動する。ドレイン６２を越えると、通路６３は、サンプ組立体４２内で水平方向前方に転回する。しかしながら、極端な姿勢角又は位置では、通路６３は、垂直方向上向きに転回するので、オイルを大気に重力送給することはできない。
【００３３】
図７に示すように、エンジンは、極端な姿勢状態まで回転している。このような極端な上昇姿勢では、オイルは、通路６０、ドレイン６２、及び幾らか垂直方向上向きに延びる通路６３を通過しなくてはならない。通路６０と大気との間の圧力差を利用するために、ドレイン６２及びその後の通路６３は、空気が通過可能であってはならず、そうでなければ、オイルを極端な上昇姿勢の間に通路６３を通って上向きに送り込めないことになる。オイルは、ドレイン６２の上方の区域に貯留され、空気圧力がオイルをバイパスしてドレイン６２の下流側の通路６０を通って流出しないように、ドレインを完全に覆う必要がある。オイルは、一般に、ドレイン６２付近の水平ラインＯで描かれている。従って、通路６０の幾何学的形状は、極端な姿勢角又は位置においてオイルがドレインを完全に覆うように設計される。これが生じると、通路６０内の空気圧は、ドレイン６２を通って、下流側の通路６３を通り取付具７０に上向きにオイルを送り込む。冷却空気と通路６０及び大気６４との間の圧力差により、オイルが通路６３から外の大気に押し出される。しかしながら、この設計では、オイルがドレインアパーチャ６２を完全に覆っていることが必要とされ且つ維持される。
【００３４】
加えて、特徴部６４は、極端な姿勢角又は位置においてドレインアパーチャ６２の垂直方向上方に配置される。特徴部（例えば、シール）は、その主要機能を実施するだけでなく、オイルがドレイン６２から離れて後方に流動するのを阻止するのに役立つ。オイルのこのような逆流はまた、ドレイン６２の浸漬を妨げることになる。ドレインの浸漬により、空気圧力によってオイルが重力に抗して通路６３を通過できるようになる。このことはまた、ドレイン６２を覆うオイルの貯留を助け、圧力によってオイルが通路６０を上方に通って大気に押し出されるのを可能にする。
【００３５】
次に図８を参照すると、軸受サンプの断面図が示されている。この図は、壁６６に沿った通路６０及びドレイン６２を通るオイルの送給に関する改良された図を示す。故障又はオーバーフロー状態において、オイルは、通路６０を通って移動し、エンジン１０が極端な姿勢角にあるときにドレイン６２の周りで貯留し又はドレイン６２を浸漬する。しかしながら、依然として特徴部６４は、貯留の生成を助け、極端な状態においてドレイン６２の上方にある。ドレイン６２が浸漬されると、オイルはドレイン通路６３を通って上方に強制移動される。しかしながら、図８に示すように、オイルは通路６３を通って移動し、この通路は、極端な姿勢状態において上方に向けられている。
【００３６】
次に図９を参照すると、後方から前方を見たときの組立体４２の断面図が示されている。この図は、組立体４２を通る円周方向のオイルの移動を示している。チャンネル６７が組立体４２を貫通して延びて、下流側通路６３の一部を定める。チャンネルは、取付具７０（図３）に向かうオイルの移動を可能にする。
【００３７】
一部の実施形態によれば、ガスタービンエンジンのための圧送オイルドレインは、シャフト軸受用のオイルサンプと、オイルサンプと流れ連通し、故障状態において使用する通路と、通路と大気状態との間の圧力差と、通路の下側位置付近に配置されたドレイン部と、ドレイン部に隣接し且つエンジン中心線の極端な姿勢角に等しいかそれよりも大きい予め選択された角度で配置される壁と、を含む。圧送オイルドレインは更に、ドレイン部の上流側に特徴部を更に備えることができる。特徴部は、例えば、空気シール又はオイルとすることができる。特徴部は、極端な姿勢角においてドレイン部よりも垂直方向でより高く配置することができる。通路は、サンプからのオーバーフローオイルを受け取る。上記圧送オイルドレインでは、ドレイン部の位置によって、ドレイン部を覆うようなオイルプールの形成が可能となる。オイルプールは、圧力差によりオイルを高さ方向で押し上げることを可能にする。圧送オイルドレインは更に、ドレイン部の下流側にあるドレイン通路を備え、該ドレイン通路は実質的に一定の断面積である。
【００３８】
別の実施形態によれば、ガスタービンエンジンのための圧送オイルドレインは、オイルサンプと、少なくとも１つのシールと、オイルサンプと流れ連通した加圧状態にあるドレイン通路と、ドレイン通路の下側位置に配置されたドレイン部と、ドレイン部に隣接しシール故障時にオイルのプールを生成する通路壁と、を備え、極端な姿勢位置におけるドレイン部及び通路の幾何形状によって、圧力がオイルをドレイン部から該ドレイン部の下流側の通路を通じて上方に移動させるようにする。この圧送オイルドレインにおいて、通路壁は、極端な姿勢角に等しいかそれよりも大きい角度で配置される。この圧送オイルドレインにおいて、極端な姿勢角は少なくとも３０°（度）である。この圧送オイルドレインにおいて、ドレインは、極端な姿勢角において通路特徴部よりも垂直方向でより低く配置されている。圧送オイルドレインは更に、ドレインを完全に覆うオイルのプールを備える。この圧送オイルドレインにおいて、圧力により、オイルがドレインを通って移動する。この圧送オイルドレインにおいて、特徴部は、通路壁から延びている。この圧送オイルドレインにおいて、特徴部は、オイルシール又は空気シールである。この圧送オイルドレインにおいて、特徴部は、極端な姿勢角においてドレイン部の上方に配置されている。
【００３９】
更に別の実施形態によれば、ガスタービンエンジンのための圧送オイルドレインは、オイルサンプ及び該オイルサンプと選択的に流れ連通した通路と、サンプの一方の端部に位置付けられるオイルシールと、を備え、通路がドレイン部と流れ連通し、通路は、加圧されて通路と環境大気との間に圧力差を生成し、ドレイン部が、タービンエンジンが極端な姿勢角にて配置されたときに通路特徴部の下方の高さに配置され、通路は、極端な姿勢角にあるときに上方に延びる。
【００４０】
構造及び方法に関する上述の記載は、説明の目的で提示されている。この説明は、本発明を網羅すること、又は本発明を開示された厳密なステップ及び／又は形態に限定することを意図したものではなく、上述の教示に照らして多くの修正形態及び変形形態が実施可能であることは明らかである。本明細書で記載される特徴要素は、どのようにも組み合わせることができる。本明細書で記載される方法のステップは、物理的に実施可能なあらゆる順序で実施することができる。オイルドレインの特定の形態を例証及び説明してきたが、これに限定されるものではなく、添付の請求項によってのみ限定されることは理解される。
【００４１】
本発明の複数の実施形態を本明細書で説明し例示してきたが、当業者であれば、本明細書で記載される機能を実施し及び／又は本明細書で記載される結果及び／又は利点のうちの１又はそれ以上を得るために他の様々な手段及び／又は構造が想定され、このような変形及び／又は修正形態の各々は、本明細書で記載される実施形態の範囲内にあるとみなされる。より一般的には、本明細書で記載される全てのパラメータ、寸法、材料、及び構成は例証を意味しており、実際のパラメータ、寸法、材料、及び構成は、本発明の教示が利用される１又は複数の特定の用途によって決まることになることは当業者には容易に理解されるであろう。当業者であれば、単に通常の実験を利用して本明細書に記載される本発明の特定の実施形態に対する多くの均等物を認識又は確認することができるであろう。従って、上記の実施形態は単に例証として提示されており、本発明の実施形態は、添付の特許請求の範囲及びその均等物の範囲内で、具体的に記載され特許請求されたものとは別の方法で実施できることを理解すべきである。本開示の発明の実施形態は、本明細書に記載される個々の特徴、システム、製品、材料、キット及び／又は方法に向けられている。これに加えて、このような特徴、システム、製品、材料、キット及び／又は方法が互いに矛盾していない場合、２つ以上のこのような特徴、システム、製品、材料、キット及び／又は方法の何れかの組み合わせは、本開示の発明の範囲内に含まれる。
【００４２】
最良の形態を含む実施例を用いて実施形態を開示し、更に、あらゆる当業者があらゆるデバイス又はシステムを実施及び利用すること及びあらゆる包含の方法を実施することを含む、本発明の装置及び／又は方法を実施することを可能にする。これらの実施例は、網羅的なものではなく、或いは、開示された厳密なステップ及び／又は形態に本開示を限定することを意図するものではなく、上述の教示に照らして多くの修正形態及び変形形態が実施可能である。本明細書で記載される特徴要素は、どのようにも組み合わせることができる。本明細書で記載される方法のステップは、物理的に実施可能なあらゆる順序で実施することができる。
【００４３】
本明細書で定義され使用される全ての定義は、辞書の定義、引用により組み込まれる文献における定義、及び／又は定義される用語の通常の意味に対して規定していると理解すべきである。本明細書及び特許請求の範囲において使用される不定冠詞「ａ」及び「ａｎ」は、明示的にそうでないことを示していない限り、「少なくとも１つ」を意味するものと理解されたい。本明細書及び特許請求の範囲において使用される表現「及び／又は」は、そのように結合された要素の「何れか又は両方」、すなわちある場合では結合的に存在し、他の場合では選言的に存在する要素を意味するものと理解すべきである。
【００４４】
また、そうでないと明確に示されていない限り、１つよりも多いステップ又は行為を含む請求項に記載される何れの方法においても、本方法のステップ又は行為の順番は、方法のステップ又は行為が記載される順番に必ずしも限定されない点を理解されたい。
【００４５】
請求項並びに上述の明細書において、「備える」、「含む」、「担持する」、「有する」、「包含する」、「伴う」、「保持する」、「〜から構成される」などの全ての移行句は、オープンエンドであり、すなわちこれらを含むが限定されないことを意味するものと理解すべきである。「〜からなる」、「〜から基本的になる」という移行句のみが、それぞれクローズド又はセミクローズドの移行句とすべきである。
【符号の説明】
【００４６】
１０  ガスタービンエンジン
１２  エンジン入口端部
１４  圧縮機
１６  燃焼器
１８  ターボファン
２０  高圧タービン
２１  低圧タービン
２４  シャフト
２６  エンジン軸線
３７  シャフト軸受
４８  オイルサンプ
６０  通路
６２  ドレイン
６５  大気
６６  壁
【図１】
0006014775.tif 000002
【図２】
0006014775.tif 000003
【図３】
0006014775.tif 000004
【図４】
0006014775.tif 000005
【図５】
0006014775.tif 000006
【図６】
0006014775.tif 000007
【図７】
0006014775.tif 000008
【図８】
0006014775.tif 000009
【図９】
0006014775.tif 000010